(57)【特許請求の範囲】
【請求項１】
第１の符号化方式で符号化されたデジタル放送データである第１符号化データを受信するデジタル放送受信手段と、
上記第１符号化データを復号し復号データを作成する復号手段と、
上記復号データを上記第１の符号化方式とは異なる第２の符号化方式で符号化して第２符号化データを作成する第１の符号化手段と、
アナログ放送データを受信するアナログ放送受信手段と、
上記受信したアナログ放送データをデジタル化し、上記第１の符号化方式とは異なる第３の符号化方式で符号化して第３符号化データを作成する第２の符号化手段と、
上記デジタル放送受信手段と上記アナログ放送受信手段との少なくとも一方の受信状態に基づき、上記第２符号化データと上記第３符号化データとのどちらか一方を記録するデータ記録手段と、
を備えることを特徴とする放送受信記録装置。
【請求項２】
上記デジタル放送受信手段と上記アナログ放送受信手段との少なくとも一方の受信状態に基づき、上記デジタル放送データおよび上記アナログ放送データのどちらについて受信および記録を行うかを選択する受信放送選択手段を備え、
上記受信放送選択手段がアナログ放送データを選択した場合にのみ、上記符号化手段は、上記第３符号化データを作成し、上記受信放送選択手段がデジタル放送データを選択した場合にのみ、上記復号手段は、上記復号データを作成することを特徴とする請求項１に記載の放送受信記録装置。
【請求項３】
上記第２および第３の符号化方式は、上記第１の符号化方式よりも処理量の少ない符号化方式であることを特徴とする請求項１または２に記載の放送受信記録装置。
【請求項４】
上記第２および第３の符号化方式は、同じ符号化方式であることを特徴とする請求項１，２，３の何れか１項に記載の放送受信記録装置。
【請求項５】
上記受信放送選択手段の選択結果に基づき、上記デジタル放送受信手段および上記アナログ放送受信手段の受信の制御を行う制御手段が設けられたことを特徴とする請求項２に記載の放送受信記録装置。
【請求項６】
上記制御手段は、ユーザ操作を受け付け、該ユーザ操作に基づき、上記デジタル放送受信手段および上記アナログ放送受信手段の受信の制御を行うことを特徴とする請求項５に記載の放送受信記録装置。
【請求項７】
第１の符号化方式で符号化されたデジタル放送データである第１符号化データを受信するデジタル放送受信ステップと、
上記第１符号化データを復号し復号データを作成する復号ステップと、
上記復号データを上記第１の符号化方式とは異なる第２の符号化方式で符号化して第２符号化データを作成する第１の符号化ステップと、
アナログ放送データを受信するアナログ放送受信ステップと、
上記受信したアナログ放送データをデジタル化し、上記第１の符号化方式とは異なる第３の符号化方式で符号化して第３符号化データを作成する第２の符号化ステップと、
上記デジタル放送受信ステップと上記アナログ放送受信ステップとの少なくとも一方のステップでの受信状態に基づき、上記第２符号化データと上記第３符号化データとのどちらか一方を記録するデータ記録ステップと、
を含むことを特徴とする放送受信記録装置の制御方法。
【請求項８】
請求項１〜６のいずれか１項に記載の放送受信記録装置を備えたことを特徴とする携帯端末。
【請求項９】
請求項１〜６の何れか１項に記載の放送受信記録装置を動作させるための制御プログラムであって、コンピュータを上記放送受信記録装置における上記各手段として機能させるための放送受信記録制御プログラム。
【請求項１０】
請求項９に記載の放送受信記録制御プログラムが記録されたコンピュータ読み取り可能な記録媒体。
【発明の詳細な説明】
【技術分野】
【０００１】
本発明は、デジタル放送データとアナログ放送データとを受信し、かつ、受信した放送データを記録する放送受信記録装置、携帯端末、放送受信記録装置の制御方法、放送受信記録制御プログラム、およびコンピュータ読み取り可能な記録媒体に関するものである。
【背景技術】
【０００２】
従来アナログ方式で行われていた地上波テレビジョン放送が、動画符号化技術と放送多重化技術、そしてデジタル伝送符号化技術等の確立により、デジタル方式へと切り替わりつつある。また、放送受信録画装置（放送受信記録装置）の機能を有する携帯端末向けのデジタル放送も開始されている。【０００３】
このような携帯端末向けのデジタル放送は、限定された地域でのみ提供されることがある。そのため、ユーザが携帯端末でデジタル放送信号を受信しながら、デジタル放送のサービス提供圏外に移動してしまうこともありうる。その場合、サービス提供圏外に入った時点で、サービス提供圏内で放送された番組を視聴したり記録（本明細書では、映像を記録する装置を説明するため、以下では録画とする）したりすることができなくなってしまう。【０００４】
また、デジタル放送信号のＣ／Ｎ比（キャリア信号とノイズ信号との比）が所定の閾値よりも低くなると、放送受信録画装置は、全く映像や音声を得られなくなってしまう。このため、放送受信録画装置でデジタル放送信号を受信中に、例えば、アンテナの目前を飛行機が通過する等により、デジタル放送信号の受信状態が悪くなり、デジタル放送信号のＣ／Ｎ比が所定の閾値以下になると、ユーザはその間の番組を視聴したり録画したりすることができなくなる。なお、ユーザが放送を視聴している場合は、その場でデジタル放送信号を受信できていないことがわかる。そのため、放送受信録画装置の機能を有する携帯端末を携帯したユーザが携帯端末の向きを変えたり、自身の位置を移動したりすることにより、デジタル放送信号を受信できなくなることを回避できる場合もある。しかし、上記携帯端末にてユーザがデジタル放送を視聴せずに録画をしている場合には、デジタル放送を受信できていないことがわからない。そのため、デジタル放送信号の受信状態が悪いままで正しく録画できなかったことが後になって分かるような状況がある。この場合、ユーザは無駄な録画を行ったことになり、本来得たかった情報を得ることができない。【０００５】
上記のような状況を避けるために、例えば特許文献１には、放送の受信状態が悪くなると、デジタル放送から別のデジタル放送に受信を切り替え、録画を継続する放送受信装置が開示されている。ただし、この特許文献１の構成では、放送の録画中にデジタル放送からアナログ放送に切り替える場合の記載が無いことからわかるように、デジタル放送の録画から切り替えてアナログ放送での録画を継続できない構成となっている。【０００６】
また例えば特許文献２には、デジタル放送信号を受信する回路と、アナログ放送信号を受信する回路とを具備し、アナログ放送をデジタル放送と同じ符号化方式で符号化して、デジタル放送とアナログ放送を同時に録画しておき、録画完了後に、デジタル放送の受信状態が悪い部分をアナログ放送のデータで補填したファイルを作成する放送受信録画装置が開示されている。このような特許文献２に記載の放送受信録画装置の機能を備えた携帯端末であると、アナログ放送信号を受信する回路も具備することにより、携帯端末向けのデジタル放送のサービス提供圏外にあってもアナログ放送のサービスが受信できる可能性は高くなる。また、放送受信録画装置は、デジタル放送信号の受信状態が劣悪な環境では全く映像や音声を得られなくなってしまうが、アナログ放送信号の受信状態が劣悪な環境でも、話の内容が認識可能な程度の劣化した映像音声を受信できる可能性がある。【０００７】
図６に、従来の放送受信録画装置の概略構成を示す。同図に示すように、従来の放送受信録画装置６００は、デジタル放送受信部６０１、アナログ放送受信部６０２、符号化部６０３、データ記録部６０４、データ選択制御部６０６、データ合成部６０７を備えた構成となっている。【０００８】
デジタル放送受信部６０１は、図示しないデジタル放送チューナーなどからデジタル放送信号を受信し、受信した放送信号を復調して符号化データとしてデータ記録部６０４に伝送する。この符号化データは、映像についてはＩＴＵ−Ｔ(International Telecommunication Union-Telecommunication)で規格化されたＨ．２６４で符号化されおり、音声についてはＭＰＥＧ(Moving Picture Expert Group)で規格化されたＭＰＥＧ−２ＡＡＣ(MPEG Phase 2 Advanced Audio Coding)で符号化されている。そしてこれら映像符号化データおよび音声符号化データ（映像音声符号化データ）がＭＰＥＧ−２ＴＳ(MPEG Phase 2 Transport Stream)フォーマットで多重化されている。【０００９】
アナログ放送受信部６０２は、図示しないアナログ放送チューナーなどからアナログ放送信号を受信し、受信した放送信号を復調してアナログ形式の映像信号および音声信号に変換し、その映像信号と音声信号をデジタル化してデジタルデータとして、符号化部６０３に伝送する。【００１０】
符号化部６０３は、アナログ放送受信部６０２から受け取ったデジタルデータを符号化して符号化データを作成し、データ記録部６０４に伝送する。この符号化データが、デジタル放送受信部６０１からデータ記録部６０４に伝送する符号化データと同一の符号化方式及び多重方式を用いた符号化データとなるように、符号化部６０３で作成する。すなわち、符号化部６０３は、映像をＨ．２６４で符号化し、音声をＭＰＥＧ−２ＡＡＣで符号化し、それら映像音声符号化データをＭＰＥＧ−２ＴＳフォーマットで多重化する。【００１１】
データ記録部６０４は、デジタル放送受信部６０１及び符号化部６０３から受け取った符号化データをそれぞれ別のファイルとして一時記録媒体６０５に記録していく。【００１２】
データ選択制御部６０６は、デジタル放送受信部６０１からデジタル放送の受信状態の情報を取得する。そして、デジタル放送の受信状態の情報から、デジタル放送を録画したファイルのどの部分を選択して、アナログ放送を録画したファイルのどの部分を選択するのかを決定し、データ合成部６０７に指示する。【００１３】
データ合成部６０７は、録画完了後に、データ選択制御部６０６からの指示に応じて、一時記録媒体６０５に記録されたデジタル放送を録画したファイルの必要な部分とアナログ放送を録画したファイルの必要な部分とを合成して１つのファイルとする。そして、合成したファイルを、記録媒体６０８に記録し、一時記録媒体６０５に記録されたデジタル放送を録画したファイルとアナログ放送を録画したファイルとを削除する。【００１４】
図７はデータ合成部６０７での合成の概念図である。録画完了直後は、上述の通り、デジタル放送を録画したデジタル放送録画ファイル（ａ）とアナログ放送のデータを符号化して録画したアナログ放送録画ファイル（ｂ）の両方が存在している。ここで仮に、時間Ｔ０から時間Ｔ１までの区間と時間Ｔ２から時間Ｔ３までの区間とがデジタル放送の受信感度が良かった区間で、時間Ｔ１から時間Ｔ２までの区間と時間Ｔ３から時間Ｔ４までの区間とがデジタル放送の受信感度が悪かった区間とする。この場合、まず時間Ｔ０から時間Ｔ１までの区間は、デジタル放送の受信感度が良かった区間であるので、デジタル放送録画ファイル（ａ）からその区間に相当する部分を選択する。次に、時間Ｔ１から時間Ｔ２までの区間は、デジタル放送の受信感度が悪かった区間であるので、アナログ放送録画ファイル（ｂ）からその区間に相当する部分を選択する。そして、時間Ｔ２から時間Ｔ３までの区間は、デジタル放送の受信感度が良かった区間であるので、デジタル放送録画ファイル（ａ）からその区間に相当する部分を選択する。さらに、時間Ｔ３から時間Ｔ４までの区間は、デジタル放送の受信感度が悪かった区間であるので、アナログ放送録画ファイル（ｂ）からその区間に相当する部分を選択する。最後に、それぞれ選択した部分のファイルをつなげて１つのファイルとすれば、デジタル放送アナログ放送複合録画ファイル（ｃ）が完成する。【００１５】
以上のような構成により、従来の放送受信録画装置は、デジタル放送の録画中に、デジタル放送のサービス提供圏外に移動させられてしまったり、デジタル放送信号の受信状態が悪くなったりしても、その間、アナログ放送を利用して録画を行う。よって、番組として録画される区間が大幅に広がる。【００１６】
上記のように、従来の放送受信録画装置では、アナログ放送を符号化する際の符号化方式には、デジタル放送と同一の符号化方式を用いている。これは、受信感度のよかったデジタル放送と受信感度が悪かったデジタル放送に対応するアナログ放送とを同一のファイル（上記デジタル放送アナログ放送複合録画ファイル）に格納するために、符号化方式を同一にする必要があるからである。【００１７】
しかしながら、このように、アナログ放送を符号化する際の符号化方式に、デジタル放送と同一の符号化方式を用いると、次のような問題がある。携帯端末向けのデジタル放送で用いられる映像符号化方式のＨ．２６４は、復号処理に比べて符号化処理が非常に重い。そのため、従来の放送受信録画装置の機能を備えた携帯電話のようなモバイル機器では、復号処理は行えても、符号化処理を行うのが非常に困難となる。また、上記モバイル機器では、デジタル放送受信用のチューナーとアナログ受信用のチューナーとを常時動作させる必要があるため、消費電力が大きくなってしまう。さらに、一時的にデジタル放送を録画したファイルとアナログ放送を録画したファイルとを保持するメモリを確保する必要がある。
【特許文献１】日本国公開特許公報「特開２００１−２８５７３４（２００１年１０月１２日公開）」
【特許文献２】日本国公開特許公報「特開２００４−８０６７４（２００４年３月１１日公開）」
【発明の開示】
【００１８】
本発明は、上記の問題点に鑑みてなされたものであり、その目的は、デジタル放送の録画中にデジタル放送の受信感度が悪くなった場合に、小さな処理量にて容易に録画を継続することができる放送受信記録装置、携帯端末、放送受信記録装置の制御方法、放送受信記録制御プログラム、およびコンピュータ読み取り可能な記録媒体を実現することにある。
【００１９】
本発明に係る放送受信記録装置は、上記課題を解決するために、第１の符号化方式で符号化されたデジタル放送データである第１符号化データを受信するデジタル放送受信手段と、アナログ放送データを受信するアナログ放送受信手段と、受信した上記アナログ放送データをデジタル化し、上記第１の符号化方式とは異なる第２の符号化方式で符号化して第２符号化データを作成する符号化手段と、上記デジタル放送受信手段と上記アナログ放送受信手段との少なくとも一方の受信状態に基づき、上記受信した第１符号化データと上記作成した第２符号化データとのどちらか一方を記録するデータ記録手段と、を備えたことを特徴としている。
【００２０】
また、本発明に係る放送受信記録装置の制御方法は、上記課題を解決するために、第１の符号化方式で符号化されたデジタル放送データである第１符号化データを受信するデジタル放送受信ステップと、アナログ放送データを受信するアナログ放送受信ステップと、受信した上記アナログ放送データをデジタル化し、上記第１の符号化方式とは異なる第２の符号化方式で符号化して第２符号化データを作成する符号化ステップと、上記デジタル放送受信ステップと上記アナログ放送受信ステップとの少なくとも一方のステップにおける受信状態に基づき、上記受信した第１符号化データと上記作成した第２符号化データとのどちらか一方を記録するデータ記録ステップと、を含むことを特徴としている。
【００２１】
上記構成および上記方法によると、受信したアナログ放送データをデジタル化し、デジタル放送データ（第１符号化データ）を符号化している第１の符号化方式とは異なる第２の符号化方式で符号化して第２符号化データを作成する。そして、デジタル放送とアナログ放送との少なくとも一方の受信状態に基づき、受信したデジタル放送データ（第１符号化データ）と上記第２符号化データとのどちらか一方を記録する。よって、デジタル放送データの記録中に、デジタル放送データの受信感度が悪くなった場合には、アナログ放送データを、デジタル放送データを符号化している第１の符号化方式とは異なる第２の符号化方式で符号化して記録することで、放送データの記録を継続することができる。また、デジタル放送の受信感度がよくなったら、デジタル放送データに戻して録画をすることができる。ここで、第２の符号化方式が第１の符号化方式に比べて、処理量の少ない符号化方式であれば、符号化手段を小型化、軽量化することができ、あるいは符号化ステップの処理を少なくすることができる。そのため、放送受信記録装置を小型化、軽量化することができる。
【００２２】
つまり、上記構成および上記方法によると、デジタル放送の録画中にデジタル放送の受信感度が悪くなった場合に、小さな処理量にて容易に録画を継続することができる。また、上記構成および上記方法を用いると、アナログ放送記録時の処理量が小さくなるので、放送データの記録時に他の処理を行うことが可能となる。また、処理量が小さくなると消費電力も小さくなるので、バッテリーの使用可能時間が長くなる。また、従来技術のようにアナログ放送データの記録とデジタル放送データの記録とを同時に行わないので、記録した放送データを保持するメモリが少なくて済む。
【００２３】
なお、デジタル放送データは、地上波デジタル放送からのデータに限らず、ＢＳ放送からのデータやＣＳ放送からのデータなどでもよい。また、受信は、無線ＬＡＮ等を経由して、ストリーミング形式での映像・音声データを受信するようになっていてもよい。放送データには、例えば、映像（静止画、動画を含む）、音声データ、文字データ、電子番組情報等のいずれかであってもよいし、これらの複数が含まれていてもよい。また、アナログ放送データは、チューナーから受信するデータに限らず、ケーブルテレビや他のデジタル放送をアナログ化したデータであってもよい。またチューナーの代わりに、無線や有線ＬＡＮを経由して受信した映像音声データをアナログ化したデータであってもよい。
【００２４】
また、本発明に係る放送受信記録装置は、上記課題を解決するために、第１の符号化方式で符号化されたデジタル放送データである第１符号化データを受信するデジタル放送受信手段と、上記第１符号化データを復号し復号データを作成する復号手段と、上記復号データを上記第１の符号化方式とは異なる第２の符号化方式で符号化して第２符号化データを作成する第１の符号化手段と、アナログ放送データを受信するアナログ放送受信手段と、上記受信したアナログ放送データをデジタル化し、上記第１の符号化方式とは異なる第３の符号化方式で符号化して第３符号化データを作成する符号化手段と、上記デジタル放送受信手段と上記アナログ放送受信手段との少なくとも一方の受信状態に基づき、上記第２符号化データと上記第３符号化データとのどちらか一方を記録するデータ記録手段と、を備えることを特徴としている。
【００２５】
また、本発明に係る放送受信記録装置の制御方法は、上記課題を解決するために、第１の符号化方式で符号化されたデジタル放送データである第１符号化データを受信するデジタル放送受信ステップと、上記第１符号化データを復号し復号データを作成する復号ステップと、上記復号データを上記第１の符号化方式とは異なる第２の符号化方式で符号化して第２符号化データを作成する第１の符号化ステップと、アナログ放送データを受信するアナログ放送受信ステップと、上記受信したアナログ放送データをデジタル化し、上記第１の符号化方式とは異なる第３の符号化方式で符号化して第３符号化データを作成する符号化ステップと、上記デジタル放送受信ステップと上記アナログ放送受信ステップとの少なくとも一方のステップにおける受信状態に基づき、上記第２符号化データと上記第３符号化データとのどちらか一方を記録するデータ記録ステップと、を含むことを特徴としている。
【００２６】
上記構成および上記方法によると、受信した第１の符号化方式で符号化されたデジタル放送データ（第１符号化データ）を復号し、この復号したデータを第１の符号化方式とは異なる第２の符号化方式で符号化して第２符号化データを作成する。また、受信したアナログ放送データをデジタル化し、デジタル放送データを符号化している第１の符号化方式とは異なる第３の符号化方式で符号化して第３符号化データを作成する。そして、デジタル放送とアナログ放送との少なくとも一方の受信状態に基づき、受信した第２符号化データと第３符号化データとのどちらか一方を記録する。よって、デジタル放送データの記録中に、デジタル放送データの受信感度が悪くなった場合には、アナログ放送データを、デジタル放送データを符号化している第１の符号化方式とは異なる第３の符号化方式で符号化して記録することで、放送データの記録を継続することができる。また、デジタル放送の受信感度がよくなったら、デジタル放送データに戻して録画をすることができる。ここで、第３の符号化方式が第１の符号化方式に比べて、処理量の少ない符号化方式であれば、符号化手段を小型化、軽量化することができ、あるいは符号化ステップの処理を少なくすることができる。そのため、放送受信記録装置を小型化、軽量化することができる。
【００２７】
つまり、上記構成および上記方法によると、デジタル放送の録画中にデジタル放送の受信感度が悪くなった場合に、小さな処理量にて容易に録画を継続することができる。また、上記構成および上記方法を用いると、アナログ放送記録時の処理量が小さくなるので、放送データの記録時に他の処理を行うことが可能となる。また、処理量が小さくなると消費電力も小さくなるので、バッテリーの使用可能時間が長くなる。また、従来技術のようにアナログ放送データの記録とデジタル放送データの記録とを同時に行わないので、記録した放送データを保持するメモリが少なくて済む。
【００２８】
さらに、第２の符号化方式と第３の符号化方式とが同じであれば、デジタル放送データを記録したデータとアナログ放送データを記録したデータとの符号化方式が同一となる。そのため、デジタル放送データを記録したデータとアナログ放送データを記録したデータとを連続して再生する際に、復号部分の符号化方式を切り替える必要がなくなる。よって、記録したデータの再生時には、デジタル放送データの記録部分とアナログ放送データの記録部分とのつなぎ目をなめらかに再生することが可能となる。
【００２９】
また、本発明に係る放送受信記録装置は、上記課題を解決するために、第１の符号化方式で符号化されたデジタル放送データである第１符号化データを受信するデジタル放送受信手段と、上記第１符号化データを復号して復号データを作成する復号手段と、アナログ放送データを受信するアナログ放送受信手段と、上記デジタル放送受信手段および上記アナログ放送受信手段の少なくとも一方の受信状態に基づき、上記復号データと受信した上記アナログ放送データをデジタル化したデータとのいずれか一方を、上記第１の符号化方式とは異なる第２の符号化方式で符号化して第２符号化データを作成する符号化手段と、上記第２符号化データを記録するデータ記録手段と、を備えることを特徴としている。
【００３０】
また、本発明に係る放送受信記録装置の制御方法は、上記課題を解決するために、第１の符号化方式で符号化されたデジタル放送データである第１符号化データを受信するデジタル放送受信ステップと、上記第１符号化データを復号して復号データを作成する復号ステップと、アナログ放送データを受信するアナログ放送受信ステップと、上記デジタル放送受信ステップと上記アナログ放送受信ステップとの少なくとも一方のステップにおける受信状態に基づき、上記復号データと受信した上記アナログ放送データをデジタル化したデータとのいずれか一方を、上記第１の符号化方式とは異なる第２の符号化方式で符号化して第２符号化データを作成する符号化ステップと、上記第２符号化データを記録するデータ記録ステップと、を含むことを特徴としている。
【００３１】
上記構成および上記方法によると、デジタル放送とアナログ放送との少なくとも一方の受信状態に基づき、受信した第１の符号化方式で符号化されたデジタル放送データ（第１符号化データ）を復号し、この復号したデータを第１の符号化方式とは異なる第２の符号化方式で符号化して第２符号化データを作成する。または、受信したアナログ放送データをデジタル化し、第２の符号化方式で符号化して、第２符号化データを作成する。そして、第２符号化データを記録する。よって、デジタル放送データの記録中に、デジタル放送データの受信感度が悪くなった場合には、アナログ放送データを、デジタル放送データを符号化している第１の符号化方式とは異なる第２の符号化方式で符号化して記録することで、放送データの記録を継続することができる。また、デジタル放送の受信感度がよくなったら、デジタル放送データに戻して録画をすることができる。ここで、第２の符号化方式が第１の符号化方式に比べて、処理量の少ない符号化方式であれば、符号化手段を小型化、軽量化することができ、あるいは符号化ステップの処理を少なくすることができる。よって、放送受信記録装置を小型化、軽量化することができる。
【００３２】
つまり、上記構成および上記方法によると、デジタル放送の録画中にデジタル放送の受信感度が悪くなった場合に、小さな処理量にて容易に録画を継続することができる。また、上記構成および上記方法を用いると、アナログ放送記録時の処理量が小さくなるので、放送データの記録時に他の処理を行うことが可能となる。また、処理量が小さくなると消費電力も小さくなるので、バッテリーの使用可能時間が長くなる。また、従来技術のようにアナログ放送データの記録とデジタル放送データの記録とを同時に行わないので、記録した放送データを保持するメモリが少なくて済む。
【００３３】
さらに、デジタル放送データを記録したデータとアナログ放送データを記録したデータとの符号化方式が第２の符号化方式で同一となっているため、デジタル放送データを記録したデータとアナログ放送データを記録したデータとを連続して再生する際に、復号部分の符号化方式を切り替える必要がなくなる。よって、記録したデータの再生時には、デジタル放送データの記録部分とアナログ放送データの記録部分とのつなぎ目をなめらかに再生することが可能となる。また、符号化手段を複数用意することなく、デジタル放送データを録画した部分とアナログ放送データを録画した部分との符号化方式が同一の方式となる。
【００３４】
また、本発明に係る携帯端末は、上記課題を解決するために、上記のいずれか１つの放送受信記録装置を備えている。このように、携帯端末に上記放送受信記録装置を備えていることで、携帯端末において、デジタル放送データの記録中に、デジタル放送データの受信感度が悪くなった場合には、アナログ放送データを、デジタル放送データを符号化している第１の符号化方式とは異なる方式で符号化して記録することで、放送データの記録を継続することができる。また、デジタル放送の受信感度がよくなったら、デジタル放送のデータに戻して録画をすることができる。ここで、アナログ放送の符号化方式が第１の符号化方式に比べて、処理量の少ない符号化方式であれば、符号化手段を小型化、軽量化することができるため、携帯端末に搭載するのに好ましい。
【００３５】
つまり、上記構成によると、デジタル放送の録画中にデジタル放送の受信感度が悪くなった場合に、小さな処理量にて容易に録画を継続することができる携帯端末を提供することができる。また、上記構成の携帯端末では、アナログ放送記録時の処理量が小さくなるので、放送データの記録時に他の処理を行うことが可能となる。処理量が小さくなると、消費電力も小さくなるので、携帯端末のバッテリーの使用可能時間が長くなる。さらに、アナログ放送データの記録とデジタル放送データの記録とを同時に行わないので、記録した放送データを保持するメモリが少なくて済む。
【００３６】
本発明のさらに他の目的、特徴、および優れた点は、以下に示す記載によって十分わかるであろう。また、本発明の利益は、添付図面を参照した次の説明で明白になるであろう。
【図面の簡単な説明】
【００３７】
【図１】本発明の一実施形態に係る放送受信録画装置の概略構成を示すブロック図である。
【図２】図１に示す放送受信録画装置で録画を行ったファイルの概念図である。
【図３】図１に示す放送受信録画装置で録画を行ったファイルの別の例を示す概念図である。
【図４】本発明の他の実施形態に係る放送受信録画装置の概略構成を示すブロック図である。
【図５】本発明のさらに他の実施形態に係る放送受信録画装置であり、図１および図４とは別の放送受信録画装置の概略構成を示すブロック図である。
【図６】従来の放送受信録画装置の概略構成を示すブロック図である。
【図７】従来の放送受信録画装置において合成処理を行ったファイルの概念図である。
【発明を実施するための最良の形態】
【００３８】
〔実施の形態１〕
本発明の一実施形態について図１〜３に基づいて説明すると以下の通りである。本実施形態では、本発明の放送受信記録装置を放送受信録画装置１００として説明する。本実施形態では、映像（静止画、動画を含む）を記録するために録画という言葉を用いるが、本発明の放送受信記録装置は、例えばラジオのように音声データのみを受信して記録するような装置であってもかまわない。また、文字データを受信記録できるようになっていてもかまわない。このように、本発明の放送受信記録装は、放送データの記録が行える装置であれば構わない。【００３９】
図１は、本実施形態に係る放送受信録画装置の概略構成を示している。同図に示すように、放送受信録画装置（放送受信記録装置）１００は、デジタル放送受信部（デジタル放送受信手段）１０１、アナログ放送受信部（アナログ放送受信手段）１０２、符号化部１０３、受信放送選択部（受信放送選択手段）１０４、データ記録部（記録手段）１０５、制御部（制御手段）１０７を備えた構成となっている。【００４０】
デジタル放送受信部１０１は、図示しないデジタル放送チューナーなどからデジタル放送データ（デジタル放送信号）を受信し、受信したデジタル放送データを復調して符号化データ（第１符号化データ）としてデータ記録部１０５に伝送する。ここでのデジタル放送とは、地上波デジタル放送に限らず、ＢＳ放送やＣＳ放送などでもよい。またチューナーの代わりに、無線ＬＡＮ等を経由して、ストリーミング形式での映像・音声データを受信するその他の受信手段を用いてもよい。また、符号化データは、映像についてはＩＴＵ−Ｔで規格化されたＨ．２６４で符号化されて映像符号化データとなり、音声についてはＭＰＥＧで規格化されたＭＰＥＧ−２ＡＡＣで符号化されて音声符号化データとなり、これら映像符号化データおよび音声符号化データ（映像音声符号化データ）がＭＰＥＧ−２ＴＳフォーマットで多重化された符号化データであることを前提として以降の説明を行う。しかし、上記した符号化方式や多重方式に限定されるものではなく、例えば、映像符号化方式としてＭＰＥＧ−２Ｖｉｄｅｏなどが用いられていてもよいし、音声符号化方式としてＭＰ３（MPEG-1 Audio Layer 3）などが用いられていてもよい。また、多重方式としてＲＴＰ(Real Time Protocol)パケットフォーマットなどが用いられていてもよい。また、映像音声符号化データ以外に、字幕データや各種番組情報が多重化されていてもよい。【００４１】
アナログ放送受信部１０２は、図示しないアナログ放送チューナーなどからアナログ放送データ（アナログ放送信号）を受信し、受信したアナログ放送データを復調してアナログ形式の映像信号および音声信号に変換し、符号化部１０３に伝送する。ここでアナログ放送信号とは、チューナーからのデータに限らず、ケーブルテレビや他のデジタル放送をアナログ化したデータであってもよい。またチューナーの代わりに、無線や有線ＬＡＮを経由して受信した映像音声データをアナログ化したデータであってもよい。【００４２】
符号化部１０３は、アナログ放送受信部１０２から受け取った映像信号と音声信号とをデジタル化してデジタルデータとして、デジタル放送データで用いられる符号化方式および多重化方式とは異なる方式で符号化および多重化して符号化データ（第２符号化データ）を作成し、データ記録部１０５に伝送する。異なる方式とは、デジタル放送データに用いられる方式に比べて処理量が小さい方式とする。具体的には、映像符号化方式はＭＰＥＧで規格化されたＭＰＥＧ−４であり、音声符号化方式はＩＴＵ−Ｔで規格化されたＧ．７２６であり、映像音声符号化データを多重する方式は、マイクロソフト社のＡＳＦ(Advanced Systems Format)であるとする。ここで、映像符号化方式をＭＰＥＧ−４、音声符号化方式をＧ．７２６、多重方式をＡＳＦとして記載したが、もちろんこれらに限定されるものでなく、別の符号化方式や多重方式であってもよい。また、符号化方式においてデジタル放送データと異なる方式の選択基準として、処理量が小さい方式と記載したが、この基準に限定されるものではなく、ワークメモリ量やコード量の少なさ、作成される符号化データ量の小ささを基準としてもよい。また符号化方式や多重方式の全てがデジタル放送データを符号化したものと異なっていなくてもよく、例えば、映像符号化方式のみ異なり、音声符号化方式と多重方式はデジタル放送データを符号化したものと同一の方式を利用してもよい。【００４３】
受信放送選択部１０４は、デジタル放送受信部１０１から受け取ったデジタル放送の受信状態の情報やアナログ放送受信部１０２から受け取ったアナログ放送の受信状態の情報などから受信および録画を行う放送データを選択する。また、デジタル放送受信部１０１から受け取ったデジタル放送の受信状態の情報やアナログ放送受信部１０２から受け取ったアナログ放送の受信状態の情報を制御部１０７に送る。【００４４】
デジタル放送データの受信および録画からアナログ放送データの受信および録画に切り替える（アナログ放送データの受信および録画を選択する）契機としては、従来技術に記載されているように、デジタル放送データのＣ／Ｎ比（キャリア信号とノイズ信号との比）が所定の閾値以下になった場合がある。しかし、これに限定されるものではなく、Ｃ／Ｎ比が所定の閾値以下になったのが一定時間以上続いてから切り替える（選択する）ようにしてもよいし、受信した映像音声符号化データの誤り具合が一定割合以上になったら切り替える（選択する）ようにしてもよい。【００４５】
また、アナログ放送データの受信および録画からデジタル放送データの受信および録画に切り替える契機としては、アナログ放送データの同期信号の崩れが一定時間以上続いたら切り替えるようにしたり、一定時間間隔でデジタル放送データを受信し、そのＣ／Ｎ比が閾値以上に戻っていたら切り替えるようにしてもよい。【００４６】
また、ユーザ操作によりアナログ放送データの録画とデジタル放送データの録画とを切り替えるようにしてもよい。更に、デジタル放送とアナログ放送とを同時に表示させ、ユーザがデジタル放送とアナログ放送どちらを録画したらよいかを見て分かるようにしてもよい。また、デジタル放送の符号化データのデータ量とアナログ放送を符号化して作成した符号化データのデータ量とを比較して、データ量の小さい方を録画するようにしてもよい。【００４７】
データ記録部１０５は、デジタル放送受信部１０１と符号化部１０３から受け取った符号化データをファイルとして記録媒体１０６に記録する。記録媒体１０６としては、ＳＤ（Secure Digital）メモリカード、ＤＶＤ（Digital Versatile Disc）、ハードディスク等が挙げられるが、これらに限定されるものではない。また、記録媒体１０６は、装置１００に対し着脱可能であっても着脱不可能であってもよい。【００４８】
制御部１０７は、受信放送選択部１０４の選択結果に基づき、デジタル放送受信部１０１とアナログ放送受信部１０２の制御を行う。また制御部１０７は、ユーザ操作を受け付け、デジタル放送受信部１０１およびアナログ放送受信部１０２の受信の制御をしてもよい。【００４９】
また、制御部１０７は、受信放送選択部１０４がアナログ放送データを選択した場合にのみ、符号化部１０３が符号化データを作成するように制御する。なお、制御部１０７が設けられずに、受信放送選択部１０４の選択によってアナログ放送データが選択されると、アナログ放送受信部１０２から符号化部１０３にデータが流れるようになっていて、符号化部１０３は取得したデータを符号化するようになっていてもよい。あるいは、受信放送選択部１０４と制御部１０７とが１つにまとまって設けられていてもかまわない。【００５０】
また、本実施形態では、１つのデジタル放送データと１つのアナログ放送データとを選択して録画する例について記載したが、デジタル放送データとアナログ放送データのいずれか、もしくは両者を複数受信し、３つ以上の放送データの中から最も受信状態が良い放送データを選択して録画するようにしてもよい。【００５１】
図２は本実施形態の放送受信録画装置１００で録画を行ったファイルの概念図である。録画を行っていた際の時間Ｔ０から時間Ｔ１までの区間と時間Ｔ２から時間Ｔ３までの区間がデジタル放送データの受信感度が良かった区間であるとする。また、時間Ｔ１から時間Ｔ２までの区間と時間Ｔ３から時間Ｔ４までの区間がデジタル放送データの受信感度が悪かった区間とする。この場合、まず時間Ｔ０から時間Ｔ１までの区間は、デジタル放送データの受信感度が良かった区間であるので、デジタル放送データを録画したデジタル放送録画ファイル（ａ）が作成される。次に、時間Ｔ１から時間Ｔ２までの区間は、デジタル放送の受信感度が悪かった区間であるので、アナログ放送データをデジタル化して符号化して録画したアナログ放送録画ファイル（ｂ）が作成される。そして、時間Ｔ２から時間Ｔ３までの区間は、デジタル放送データの受信感度が良かった区間であるので、デジタル放送録画ファイル（ｃ）が作成される。さらに、時間Ｔ３から時間Ｔ４までの区間は、デジタル放送の受信感度が悪かった区間であるので、アナログ放送録画ファイル（ｄ）が作成される。【００５２】
このようにファイルを作成することで、デジタル放送データの録画中に、放送受信録画装置１００がデジタル放送のサービス提供圏外に移動してしまったり、デジタル放送データの受信状態が悪くなったりしても、その間、アナログ放送データを利用して録画を行うことができる。そのため、放送データとして録画できる区間（期間）が大幅に広がる。【００５３】
またこの場合、録画開始から録画停止までの間で、ファイル（ａ）から（ｄ）の４個に分かれたファイルができるが、録画開始から録画停止までを１つの連続したシーケンスとして扱いたい場合には、次のようにすればよい。つまり、どのファイルをどの順番に再生すれば１つのシーケンスになるのかという情報を別途記録しておき、その情報の順番通りにファイルを連続して再生すればよい。どのファイルをどの順番に再生すれば１つのシーケンスになるのかという情報は、次のような機能を用いて記録してもよい。例えば、ＳＤカードに映像音声符号化データを録画する際の規格であるＳＤ−Ｖｉｄｅｏ規格では、プレイリスト機能として、任意のファイルの任意の区間をつなげて再生する際の情報を記載するフォーマットが定義されている。このような機能を利用して記録してもよいし、独自のフォーマットで記録媒体に記載してもよい。いずれのフォーマットにおいても、再生する全てのファイルのリストが列挙される。【００５４】
図３は本実施形態の放送受信録画装置１００で録画を行なったファイルの別の例を示す概念図である。この例では、符号化部１０３で作成する符号化データを、映像符号化方式はＭＰＥＧ−４にて、音声符号化方式はＧ．７２６にて、多重方式はＭＰＥＧ−２ＴＳにて作成したものとする。この場合の、映像符号化方式および音声符号化方式は、デジタル放送受信部１０１が出力する符号化データの符号化方式とは異なるが、多重方式が同一である。【００５５】
多重方式が同一である場合には、図３のように１つのファイルとして作成することが可能となる。このファイルは、時間Ｔ０から時間Ｔ１までの区間と時間Ｔ２から時間Ｔ３までの区間は、映像符号化方式はＨ．２６４、音声符号化方式はＭＰＥＧ−２ＡＡＣ、多重方式はＭＰＥＧ−２ＴＳを用いて作成されている。また、時間Ｔ１から時間Ｔ２までの区間と時間Ｔ３から時間Ｔ４までの区間は、映像符号化方式はＭＰＥＧ−４、音声符号化方式はＧ．７２６、そして多重方式はＭＰＥＧ−２ＴＳを用いて作成されている。【００５６】
〔実施の形態２〕
本発明の別の実施形態について図４に基づいて説明すると以下の通りである。図４は、本実施形態に係る放送受信録画装置の概略構成を示している。【００５７】
図４の放送受信録画装置２００において、図１に示した放送受信録画装置１００の部材と同じ機能を有する部材には同一符号を付し、その部材の説明は省略する。図４に示すように、放送受信録画装置（放送受信記録装置）２００は、デジタル放送受信部１０１、アナログ放送受信部１０２、符号化部（第２符号化手段）１０３、受信放送選択部１０４、データ記録部１０５、復号部（復号手段）２０１、符号化部（第１符号化手段）２０２、制御部（制御手段）２０７を備えた構成となっている。【００５８】
復号部２０１は、デジタル放送受信部１０１が出力した符号化データ（第１符号化データ）を復号し、復号データを作成する。【００５９】
符号化部２０２は、復号部２０１で復号した復号データを符号化して符号化データ（第２符号化データ）を作成し、データ記録部１０５に伝送する。この符号化データは、映像符号化方式については、符号化部１０３で作成する符号化データと同一の符号化方式を用いて符号化する。しかし、音声符号化方式及び多重方式については、同一の方式を用いてもよいし、同一ではない方式を用いてもよい。またどちらかの方式のみ同一のものを用いてもよい。【００６０】
符号化部１０３は、アナログ放送受信部１０２から受け取った映像信号と音声信号とをデジタル化してデジタルデータとして、デジタル放送データで用いられる符号化方式および多重化方式とは異なる方式で符号化および多重化して符号化データ（第３符号化データ）を作成し、データ記録部１０５に伝送する。異なる方式とは、デジタル放送データに用いられる方式に比べて処理量が小さい方式とする。【００６１】
制御部２０７は、受信放送選択部１０４の選択結果に基づき、デジタル放送受信部１０１とアナログ放送受信部１０２との制御を行う。また制御部２０７は、ユーザ操作を受け付け、デジタル放送受信部１０１およびアナログ放送受信部１０２の受信の制御をしてもよい。【００６２】
また、制御部２０７は、受信放送選択部１０４がアナログ放送データを選択した場合にのみ、符号化部１０３が符号化データを作成するように制御する。また、受信放送選択部１０４がデジタル放送データを選択した場合にのみ、復号部２０１が復号データを作成するように制御する。なお、制御部２０７が設けられずに、受信放送選択部１０４の選択によってアナログ放送のデータが選択されると、アナログ放送受信部１０２から符号化部１０３にデータが流れ、符号化部１０３は取得したデータを符号化するようになっていてもよい。また、受信放送選択部１０４の選択によってデジタル放送データが選択されると、デジタル放送受信部１０１から復号部２０１にデータが流れ、復号部２０１は取得したデータを復号するようになっていてもよい。あるいは、受信放送選択部１０４と制御部２０７とが１つになって設けられていてもかまわない。【００６３】
本実施形態の放送受信録画装置２００で録画を行ったファイルは、上述した図２に示すファイルと同様に、デジタル放送とアナログ放送とを切り替える度にファイルを変えて作成してもよいし、上述した図３に示すファイルと同様に、１つのファイルとして作成してもよい。【００６４】
１つのファイルとして作成する場合には、符号化部１０３で作成する符号化データの多重方式と、符号化部２０２で作成する符号化データの多重方式とが同一の方式である必要がある。このように符号化データの多重方式とが同一の方式であると、デジタル放送データを録画した部分とアナログ放送データを録画した部分との映像符号化方式が同一となるため、デジタル放送データを録画した部分とアナログ放送データを録画した部分とを連続して再生する際に、復号部分の映像符号化方式を切り替える必要がなくなる。よって録画データを再生する際、デジタル放送データ部分とアナログ放送データ部分とのつなぎ目をなめらかに再生することが可能となる。【００６５】
〔実施の形態３〕
本発明のさらに別の実施形態について図５に基づいて説明すると以下の通りである。図５は、本実施形態に係る放送受信録画装置の概略構成を示している。【００６６】
図５の放送受信録画装置において、図１で示した放送受信録画装置１００および図４で示した放送受信録画装置２００の部材と同じ機能を有する部材には同一符号を付し、その部材の説明は省略する。図５に示すように、放送受信録画装置（放送受信記録装置）３００は、デジタル放送受信部１０１、アナログ放送受信部１０２、受信放送選択部１０４、データ記録部１０５、復号部２０１、符号化部（符号化手段）３０１、制御部（制御手段）３０７を備えた構成となっている。【００６７】
符号化部３０１は、復号部２０１で作成したデジタルデータ及びアナログ放送受信部１０２が受信したアナログ放送データをデジタル化したデータ、のいずれか一方を選択して符号化し、符号化データを作成する。【００６８】
データ記録部３０２は、符号化部３０１で作成した符号化データを記録媒体１０６に格納する。【００６９】
制御部３０７は、受信放送選択部１０４の選択結果に基づき、デジタル放送受信部１０１とアナログ放送受信部１０２の制御を行う。また制御部３０７は、ユーザ操作を受け付け、デジタル放送受信部１０１およびアナログ放送受信部１０２の受信の制御をしてもよい。【００７０】
また、制御部３０７は、受信放送選択部１０４がアナログ放送データを選択した場合にのみ、符号化部３０１が、アナログ放送データをデジタル化したデータを符号化データにするように制御する。また、受信放送選択部１０４がデジタル放送データを選択した場合にのみ、復号部２０１が復号データを作成するように制御する。なお、制御部３０７が設けられずに、受信放送選択部１０４の選択によってアナログ放送のデータが選択されると、アナログ放送受信部１０２から符号化部３０１にデータが流れ、符号化部３０１は取得したデータを符号化するようになっていてもよい。また、受信放送選択部１０４の選択によってデジタル放送データが選択されると、デジタル放送受信部１０１から復号部２０１にデータが流れ、復号部２０１は取得したデータを復号するようになっていてもよい。あるいは、受信放送選択部１０４と制御部３０７とが１つにまとまって設けられていてもかまわない。【００７１】
本実施形態の放送受信録画装置３００で録画を行ったファイルは、上述した図３に示すファイルと同様に、１つのファイルとして作成される。【００７２】
放送受信録画装置３００にてこのようにファイルを作成することにより、符号化部を複数用意しなくても、デジタル放送を録画した部分とアナログ放送を録画した部分との符号化方式が同一の方式のファイルを作成することができる。【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【００７４】
最後に、放送受信録画装置１００、２００、３００の各ブロックは、ハードウェアロジックによって構成してもよいし、次のようにＣＰＵを用いてソフトウェアによって実現してもよい。【００７５】
すなわち、放送受信録画装置１００、２００、３００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである放送受信録画装置１００、２００、３００の制御プログラムのプログラムコード（実行形式プログラム、中間コードプログラム、ソースプログラム）をコンピュータで読み取り可能に記録した記録媒体を、上記放送受信録画装置１００、２００、３００に供給し、そのコンピュータ（またはＣＰＵやＭＰＵ）が記録媒体に記録されているプログラムコードを読み出し実行することによっても、達成可能である。【００７６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【００７７】
また、放送受信録画装置１００、２００、３００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【００７８】
以上のように、本発明に係る放送受信記録装置は、第１の符号化方式で符号化されたデジタル放送データである第１符号化データを受信するデジタル放送受信手段と、アナログ放送データを受信するアナログ放送受信手段と、受信した上記アナログ放送データをデジタル化し、上記第１の符号化方式とは異なる第２の符号化方式で符号化して第２符号化データを作成する符号化手段と、上記デジタル放送受信手段と上記アナログ放送受信手段との少なくとも一方の受信状態に基づき、上記受信した第１符号化データと上記作成した第２符号化データとのどちらか一方を記録するデータ記録手段と、を備えたことを特徴としている。【００７９】
また、本発明に係る放送受信記録装置は、上記構成に加え、上記デジタル放送受信手段と上記アナログ放送受信手段との少なくとも一方の受信状態に基づき、上記デジタル放送データと上記アナログ放送データとのどちらについて受信および記録を行うかを選択する受信放送選択手段を備え、上記受信放送選択手段がアナログ放送データを選択した場合にのみ、上記符号化手段は、上記第２符号化データを作成してもよい。【００８０】
上記構成によると、受信放送選択手段は、受信状態に基づき、どちらの放送データの受信および記録を行うかを選択する。そして、符号化手段は、上記受信放送選択手段がアナログ放送データを選択した場合のみ上記第２符号化データを作成する。つまり、受信状態に基づき、受信状態のよい方の放送データのみが記録への処理にまわされる。よって、デジタル放送データを録画中にはアナログ放送データの符号化以降の処理を行わなくてもよい。このように、アナログ放送データの第２の符号化方式での符号化は、アナログ放送データを記録するときにのみ行えばよくなるので、装置はその分の処理量を減らすことができる。【００８１】
また、本発明に係る放送受信記録装置は、上記構成に加え、上記第２の符号化方式は、上記第１の符号化方式よりも処理量の少ない符号化方式であってもよい。【００８２】
上記構成によると、符号化手段は、デジタル放送データを符号化している第１の符号化方式よりも処理量の少ない方式で、アナログ放送データをデジタル化したデータを符号化する。よって、アナログ放送データを符号化する際の符号化方式に、デジタル放送データと同一の符号化方式を用いていた従来の放送受信記録装置よりも、符号化手段を小型化、軽量化することができる。そのため、放送受信記録装置を小型化、軽量化することができる。【００８３】
また、本発明に係る放送受信記録装置は、上記構成に加え、上記受信放送選択手段の選択結果に基づき、上記デジタル放送受信手段および上記アナログ放送受信手段の受信の制御を行う制御手段が設けられていてもよい。【００８４】
上記構成によると、制御手段により、上記受信放送選択手段の選択結果に基づき、デジタル放送受信手段およびアナログ放送受信手段の受信の制御が行われる。ここで、例えば、制御手段は、受信放送選択手段が選択しなかった方の放送データの受信を停止してもよい。あるいは、例えば、アナログ放送データの録画中に、一定時間間隔でデジタル放送データを受信し、Ｃ／Ｎ比が閾値以上になったら、アナログ放送受信手段を停止させデジタル放送受信手段で放送データを受信させるように制御してもよい。また制御手段は、ユーザ操作を受け付け、デジタル放送受信手段およびアナログ放送受信手段における受信の制御をしてもよい。【００８５】
本発明に係る放送受信記録装置は、以上のように、第１の符号化方式で符号化されたデジタル放送データである第１符号化データを受信するデジタル放送受信手段と、上記第１符号化データを復号し復号データを作成する復号手段と、上記復号データを上記第１の符号化方式とは異なる第２の符号化方式で符号化して第２符号化データを作成する第１の符号化手段と、アナログ放送データを受信するアナログ放送受信手段と、上記受信したアナログ放送データをデジタル化し、上記第１の符号化方式とは異なる第３の符号化方式で符号化して第３符号化データを作成する第２の符号化手段と、上記デジタル放送受信手段と上記アナログ放送受信手段との少なくとも一方の受信状態に基づき、上記第２符号化データと上記第３符号化データとのどちらか一方を記録するデータ記録手段と、を備えることを特徴としている。【００８６】
また、本発明に係る放送受信記録装置は、上記構成に加え、上記デジタル放送受信手段と上記アナログ放送受信手段との少なくとも一方の受信状態に基づき、上記デジタル放送データと上記アナログ放送データとのどちらについて受信および記録を行うかを選択する受信放送選択手段を備え、上記受信放送選択手段がアナログ放送データを選択した場合にのみ、上記符号化手段は、上記第２符号化データを作成し、上記受信放送選択手段がデジタル放送データを選択した場合にのみ、上記復号手段は、上記復号データを作成してもよい。【００８７】
上記構成によると、受信放送選択手段は、受信状態に基づき、どちらの放送データの受信および記録を行うかを選択する。そして、符号化手段は、上記受信放送選択手段がアナログ放送データを選択した場合のみ上記第３符号化データを作成する。また、復号手段は、受信放送選択手段がデジタル放送データを選択した場合にのみ、復号データを作成する。つまり、受信状態に基づき、受信状態のよい方の放送データのみが記録への処理にまわされる。よって、デジタル放送データを録画中にはアナログ放送データの第３符号化方式による符号化以降の処理を行わなくてもよい。また、アナログ放送データを録画中にはデジタル放送データの復号以降の処理を行わなくてもよい。【００８８】
このように、アナログ放送データの第３の符号化方式での符号化以降の処理は、アナログ放送データを記録するときにのみ行えばよくなる。よって、デジタル放送データの復号以降の処理は、デジタル放送データを記録するときにのみ行えばよくなり、装置はその分の処理量を減らすことができる。【００８９】
また、本発明に係る放送受信記録装置は、上記構成に加え、上記第２および第３の符号化方式は、上記第１の符号化方式よりも処理量の少ない符号化方式であってもよい。【００９０】
上記構成によると、第１符号化手段は、デジタル放送データ（第１符号化データ）を符号化している第１の符号化方式よりも処理量の少ない方式で、復号データを符号化する。また、第２の符号化手段は、デジタル放送データを符号化している第１の符号化方式よりも処理量の少ない方式で、アナログ放送データをデジタル化したデータを符号化する。よって、アナログ放送を符号化する際の符号化方式に、デジタル放送と同一の符号化方式を用いていた従来の放送受信記録装置よりも、符号化手段を小型化、軽量化することができる。そのため、放送受信記録装置を小型化、軽量化することができる。【００９１】
また、本発明に係る放送受信記録装置は、上記構成に加え、上記受信放送選択手段の選択結果に基づき、上記デジタル放送受信手段および上記アナログ放送受信手段の受信の制御を行う制御手段が設けられていてもよい。【００９２】
上記構成によると、制御手段により、上記受信放送選択手段の選択結果に基づき、デジタル放送受信手段およびアナログ放送受信手段の受信の制御が行われる。ここで、例えば、制御手段は、受信放送選択手段が選択しなかった方の放送データの受信を停止してもよい。また制御手段は、ユーザ操作を受け付け、デジタル放送受信手段およびアナログ放送受信手段の受信の制御をしてもよい。【００９３】
本発明に係る放送受信記録装置は、以上のように、第１の符号化方式で符号化されたデジタル放送データである第１符号化データを受信するデジタル放送受信手段と、上記第１符号化データを復号して復号データを作成する復号手段と、アナログ放送データを受信するアナログ放送受信手段と、上記デジタル放送受信手段および上記アナログ放送受信手段の少なくとも一方の受信状態に基づき、上記復号データと受信した上記アナログ放送データをデジタル化したデータとのいずれか一方を、上記第１の符号化方式とは異なる第２の符号化方式で符号化して第２符号化データを作成する符号化手段と、上記第２符号化データを記録するデータ記録手段と、を備えることを特徴としている。【００９４】
また、本発明に係る放送受信記録装置は、上記構成に加え、上記デジタル放送受信手段および上記アナログ放送受信手段の少なくとも一方の受信状態に基づき、上記デジタル放送データと上記アナログ放送データとのどちらについて受信および記録を行うかを選択する受信放送選択手段を備え、上記受信放送選択手段がアナログ放送データを選択した場合にのみ、上記符号化手段は、受信した上記アナログ放送データをデジタル化したデータを上記第２の符号化方式で符号化して上記第２符号化データを作成し、上記受信放送選択手段がデジタル放送データを選択した場合にのみ、上記復号手段は、上記復号データを作成してもよい。【００９５】
上記構成によると、受信放送選択手段は、受信状態に基づき、どちらの放送データの受信および記録を行うかを選択する。そして、符号化手段は、上記受信放送選択手段がアナログ放送データを選択した場合のみ上記第２符号化データを作成する。また、復号手段は、受信放送選択手段がデジタル放送データを選択した場合にのみ、復号データを作成する。つまり、受信状態に基づき、受信状態のよい方の放送データのみが記録への処理にまわされる。よって、デジタル放送データを録画中にはアナログ放送データの第２符号化方式による符号化以降の処理を行わなくてもよい。また、アナログ放送データを録画中にはデジタル放送データの復号以降の処理を行わなくてもよい。【００９６】
このように、アナログ放送データの第２の符号化方式での符号化以降の処理は、アナログ放送データを記録するときにのみ行えばよくなる。よって、デジタル放送データの復号以降の処理は、デジタル放送データを記録するときにのみ行えばよくなり、装置は、その分の処理量を減らすことができる。【００９７】
また、本発明に係る放送受信記録装置は、上記構成に加え、上記第２の符号化方式は、上記第１の符号化方式よりも処理量の少ない符号化方式であってもよい。【００９８】
上記構成によると、符号化手段は、デジタル放送データ（第１符号化データ）を符号化している第１の符号化方式よりも処理量の少ない方式で、アナログ放送データをデジタル化したデータを符号化する。よって、アナログ放送を符号化する際の符号化方式に、デジタル放送と同一の符号化方式を用いていた従来の放送受信記録装置よりも、符号化手段を小型化、軽量化することができる。そのため、放送受信記録装置を小型化、軽量化することができる。【００９９】
また、本発明に係る放送受信記録装置は、上記構成に加え、上記受信放送選択手段の選択結果に基づき、上記デジタル放送受信手段および上記アナログ放送受信手段の受信の制御を行う制御手段が設けられていてもよい。【０１００】
上記構成によると、制御手段により、上記受信放送選択手段の選択結果に基づき、デジタル放送受信手段およびアナログ放送受信手段の受信の制御が行われる。ここで、例えば、制御手段は、受信放送選択手段が選択しなかった方の放送データの受信を停止してもよい。また制御手段は、ユーザ操作を受け付け、デジタル放送受信手段およびアナログ放送受信手段の受信の制御をしてもよい。【０１０１】
なお、上記放送受信記録装置は、コンピュータによって実現してもよく、この場合には、コンピュータを上記放送受信記録装置における上記各手段として動作させることにより上記放送受信記録装置をコンピュータにて実現させる放送受信記録制御プログラム、及びその放送受信記録制御プログラムを記録したコンピュータ読み取り可能な記録媒体も、本発明の範疇に入る。【０１０２】
これらの構成によれば、放送受信記録制御プログラムを、コンピュータに読み取り実行させることによって、上記放送受信記録装置と同一の作用効果を実現することができる。【０１０３】
また、本発明は、次のような構成の放送受信録画装置として表現してもよい。すなわち、映像および／または音声の情報が第１の符号化方式で符号化された第１の符号化データを受信するデジタル放送受信部と、映像および／または音声の情報をアナログデータとして受信するアナログ放送受信部と、該アナログデータをデジタル化し、第２の符号化方式で符号化して第２の符号化データを作成する符号化部と、前記デジタル放送受信部の受信状態および／または前記アナログ放送受信部の受信状態から、デジタル放送とアナログ放送のどちらの受信及び録画を行うのかを決定する受信放送選択部と、前記第１の符号化データと前記第２の符号化データとを記録するデータ記録部と、を備える構成の放送受信録画装置であると表現してもよい。【０１０４】
さらに、上記放送受信録画装置は、上記構成に加え、前記第２の符号化方式は、前記第１の符号化方式に比べて、処理量の少ない符号化方式であってもよい。【０１０５】
さらに、上記放送受信録画装置は。上記構成に加え、前記受信放送選択部にて、選択した放送以外の放送を受信する回路の電源を落とす構成であってもよい。【０１０６】
また、本発明は、次のような構成の放送受信録画装置として表現してもよい。すなわち、映像および／または音声の情報が第１の符号化方式で符号化された第１の符号化データを受信するデジタル放送受信部と、該第１の符号化データを復号する復号部と、該復号したデジタルデータを第２の符号化方式で符号化して第２の符号化データを作成する第１の符号化部と、映像および／または音声の情報をアナログデータとして受信するアナログ放送受信部と、該アナログデータをデジタル化し、第２の符号化方式で符号化して第３の符号化データを作成する第２の符号化部と、前記デジタル放送受信部の受信状態および／または前記アナログ放送受信部の受信状態から、デジタル放送とアナログ放送のどちらの受信及び録画を行なうのかを決定する受信放送選択部と、前記第２の符号化データと前記第３の符号化データとを記録するデータ記録部と、を備える構成の放送受信録画装置であると表現してもよい。【０１０７】
さらに、上記放送受信録画装置は、上記構成に加え、前記第２の符号化方式は、前記第１の符号化方式に比べて、処理量の少ない符号化方式であってもよい。【０１０８】
さらに、上記放送受信録画装置は上記構成に加え、前記受信放送選択部にて、選択した放送以外の放送を受信する回路の電源を落とす構成であってもよい。【０１０９】
また、本発明は、次のような構成の放送受信録画装置として表現してもよい。すなわち、映像および／または音声の情報が第１の符号化方式で符号化された第１の符号化データを受信するデジタル放送受信部と、該第１の符号化データを復号する復号部と、映像および／または音声の情報をアナログデータとして受信するアナログ放送受信部と、前記第１の符号化データを復号した第１のデジタルデータと前記アナログデータをデジタル化した第２のデジタルデータのいずれかを第２の符号化方式で符号化して第２の符号化データを作成する符号化部と、前記デジタル放送受信部の受信状態および／または前記アナログ放送受信部の受信状態から、デジタル放送とアナログ放送のどちらを受信及び録画を行うのかを決定する受信放送選択部と、前記第２の符号化データを記録するデータ記録部と、を備える構成の放送受信録画装置であると表現してもよい。【０１１０】
さらに、上記放送受信録画装置は、上記構成に加え、前記第２の符号化方式は、前記第１の符号化方式に比べて、処理量の少ない符号化方式であってもよい。【０１１１】
さらに、上記放送受信録画装置は、上記構成に加え、前記受信放送選択部にて、選択した放送以外の放送を受信する回路の電源を落とす構成であってもよい。
【産業上の利用可能性】
【０１１２】
本発明はデジタル放送データとアナログ放送データとを受信し、かつ、受信した放送データを記録する装置に適用することができる。
【図１】
0004717888.tif 000002
【図２】
0004717888.tif 000003
【図３】
0004717888.tif 000004
【図４】
0004717888.tif 000005
【図５】
0004717888.tif 000006
【図６】
0004717888.tif 000007
【図７】
0004717888.tif 000008